(57)【要約】      （修正有）【課題】安全スイッチを具えた携帯型紫外線殺菌灯を提供する。【解決手段】安全スイッチを具えた携帯型紫外線殺菌灯であって、主に携帯型紫外線殺菌灯のハウジング１内部に固定して安全スイッチ５を設置し、且つ紫外線灯４の制御回路３と電気的に接続し、常態で紫外線灯を点灯して下向きに照射できるようにし、ハウジングを一定の角度に傾斜させると安全スイッチが回路を遮断して紫外線灯を消灯し、紫外線が上向きに照射されるのを防ぐ。また、使用者が紫外線殺菌灯を携帯時に、不注意でスイッチに触れて紫外線殺菌灯を起動してしまう問題を防止できる。【選択図】図２
0003129855.tif 000002
【実用新案登録請求の範囲】
【請求項１】
安全スイッチを具えた携帯型紫外線殺菌灯であって、
ハウジングを具え、該ハウジングは中空状を呈して該ハウジング内に相互に電気的に接
続した電源部、制御回路及び紫外線灯を収容設置できるようにし、該電源部が電力を提供
し該制御回路に具えたスイッチによって該紫外線灯のオン・オフを制御し、且つ該ハウジ
ング底部に該紫外線灯に対応して開口部を具え、紫外線が下向きに照射されるようにし、
更に、該ハウジングの該開口部から離れた一部分にグリップを設けて把持できるようにし
、
安全スイッチを具え、該ハウジングに固定して該制御回路と接続し、該ハウジングが一
定角度傾斜すると該安全スイッチが回路を遮断して紫外線灯を消灯するようにして、紫外
線が上向きに照射されるのを防止するようにして成ることを特徴とする安全スイッチを具
えた携帯型紫外線殺菌灯。
【請求項２】
安全スイッチを具えた携帯型紫外線殺菌灯であって、該安全スイッチはボールスイッチ
であり、中空のケースの底部に２個の電極を設置し、二つの電極の間にスチールボール等
の導電性球体を設置して、常態では該導電性球体が二つの電極と接触し、該ケースが一定
角度傾斜すると、該導電性球体が二つの電極の間から転がり出て回路遮断を形成するよう
にして成ることを特徴とする請求項１記載の安全スイッチを具えた携帯型紫外線殺菌灯。
【請求項３】
安全スイッチを具えた携帯型紫外線殺菌灯であって、該制御回路に更に指示灯を設け、
該スイッチをオンにすると該指示灯が起動されるのみで、該指示灯が起動している状態で
再度スイッチをオンにして初めて該紫外線灯が起動されるようにして成ることを特徴とす
る請求項１記載の安全スイッチを具えた携帯型紫外線殺菌灯。
【請求項４】
安全スイッチを具えた携帯型紫外線殺菌灯であって、該指示灯は該ハウジングの該開口
部から離れた一面に設置して成ることを特徴とする請求項３記載の安全スイッチを具えた
携帯型紫外線殺菌灯。
【考案の詳細な説明】
【技術分野】
【０００１】
本考案は、携帯型紫外線殺菌灯に関し、特に、安全スイッチを設けて紫外線が上向きに
照射されるのを防止する紫外線殺菌灯に関する。
【背景技術】
【０００２】
一般の携帯型紫外線殺菌灯の構造は、通常、一個のハウジング内に相互に電気的に接続
した電源部、制御回路及び紫外線灯を設置し、電源部が提供する電力によって制御回路の
開閉で紫外線灯のオン・オフを制御し、ハウジングに紫外線灯具に対応した開口部を設け
て紫外線を照射できるようにして、使用者に殺菌作用を提供する。
【０００３】
この種の携帯型紫外線殺菌灯は、主に使用者が携帯して公共衛生設備（公衆便所など）
を使用する前に、紫外線で関連設備（便座など）の表面を殺菌できるようにして、疾病の
伝染を防止する。また、食品や手などを任意の箇所で殺菌するのに用いることができる。
あるいは室内や公共の場所の嘔吐物を殺菌するのに用いることができる。
【０００４】
紫外線灯が照射する紫外線は直接人体に照射すると有害だが、この種の携帯型紫外線灯
はこれに関する安全設計はなく、使用者が不注意で紫外線を直接上向きに照射して人体の
頭部などに照射すると不要な傷害を招いてしまうから、改善の必要がある。
【０００５】
更に、携帯型紫外線殺菌灯は携帯時に（バッグに入れているときなど）に誤ってスイッ
チに触れるといった状況が発生する可能性があり、使用者が知らずに紫外線殺菌灯を取り
出せば、紫外線が直接人体に照射するかもしれず、スイッチの部分についても改良の必要
がある。。
【０００６】
【特許文献１】特開２００５−３２３６５４号公報
【特許文献２】特開平１１−１８８０８１号公報
【特許文献３】登録実用新案第３０４１１５６号公報
【特許文献４】実開平６−７５５００号公報
【特許文献５】実開平１−９０５４４号公報
【考案の開示】
【考案が解決しようとする課題】
【０００７】
本考案は、紫外線が上向きに照射されるのを防止できる携帯型紫外線殺菌灯を提供する
ことを主要な課題とする。
【０００８】
本考案は、携帯時に誤ってスイッチが入るのを防止できる携帯型紫外線灯を提供するこ
とをもうひとつの課題とする。
【課題を解決するための手段】
【０００９】
上記課題を解決するために、本考案の安全スイッチを具えた携帯型紫外線灯は、中空状
を呈したハウジング内に相互に電気的に接続した電源部、制御回路及び紫外線灯を収容設
置し、電源部が提供する電力で制御回路に備えたスイッチによって紫外線のオン・オフを
制御し、且つハウジング底部に紫外線灯具に対応して開口部を具えて、紫外線が下向きに
照射されるようにする。更に、ハウジング内に安全スイッチを固設し、安全スイッチは制
御回路と電気的に接続して、ハウジングが一定角度傾斜すると安全スイッチが回路を遮断
して紫外線灯を消灯し、紫外線が上向きに照射されないようにする。
【００１０】
携帯型紫外線殺菌灯が携帯時に誤って作動するのを防止するために、本考案は更に制御
回路中に指示灯を設け、スイッチがオンのとき指示灯を点灯させ、指示灯がオンの状態で
スイッチを再度オンにして初めて紫外線灯を起動することができるようにする。これによ
り、使用者が紫外線殺菌灯を携帯時に、不注意でスイッチに触れて紫外線殺菌灯を起動し
てしまう問題を防止することができる。
【考案の効果】
【００１１】
本考案の携帯型紫外線殺菌灯は、一定角度傾斜すると安全スイッチが回路を遮断して紫
外線灯を消灯し、紫外線が上向きに照射されない。また、スイッチがオンのとき指示灯を
点灯させ、指示灯がオンの状態でスイッチを再度オンにして初めて紫外線灯が起動するた
め、使用者が紫外線殺菌灯を携帯時に、不注意でスイッチに触れて紫外線殺菌灯を起動し
てしまう問題を防止できる。
【考案を実施するための最良の形態】
【００１２】
図１から図4に示すように、本考案の安全スイッチを具えた携帯型紫外線殺菌灯は、中
空のハウジング１内に相互に電気的に接続した電源部２、制御回路３及び紫外線灯４を収
容設置し、電源部２が電力を提供し、制御回路３に具えたスイッチ３１で紫外線灯４のオ
ン・オフを制御する。
【００１３】
ハウジング１の底部に紫外線灯４に対応した開口部１１を具え、紫外線灯４が起動され
ると紫外線を下向きに照射するようにし、ハウジング１の開口部１１から離れた部分にグ
リップ１２を設けて使用者が把持できるようにする。
【００１４】
本実施例において、電源部２は電池ユニットとし、前述のスイッチ３１はハウジング１
の開口部１１から離れた一面（すなわち上面）のグリップ１２に近接した箇所に設置され
、使用者が操作しやすいようにする。
【００１５】
制御回路３に更に指示灯３２を設け、指示灯３２はスイッチ３１に近接した箇所に設置
し、制御回路３の制御によってスイッチ３１がオンのときにのみ指示灯３２を起動し、指
示灯３２が起動している常態で再度スイッチ３１をオンにすると初めて紫外線灯４が起動
する。
【００１６】
ハウジング１内部に更に安全スイッチ５を固定して設置し、制御回路３と接続して、ハ
ウジング１が一定角度に傾斜すると安全スイッチ５が回路を遮断して紫外線灯４を消灯し
、紫外線が上向きに照射されるのを防ぐ。
【００１７】
図３に示すように、本実施例で選択使用した安全スイッチはボールスイッチ(ball swit
ch)とし、中空のケース５１の底部に２個の電極５２、５３を設置し、二つの電極５２、
５３の間にスチールボール等の導電性球体５４を設置し、常態では該導電性球体５４は二
つの電極５２、５３と接触して導通の状態を呈し、ケース５１が一定角度まで傾斜すると
、該導電性球体５４は二つの電極５２、５３の間を離れて回路遮断を形成し、これによっ
て紫外線灯４を消灯させる。
【００１８】
図４に示すように、使用者が紫外線殺菌灯を使用するときはグリップ１２を握り、ハウ
ジング１を開口部１１が下向きの状態に保持する。使用過程で使用者の手が移動したり外
在環境に応じてある程度角度が変わる場合があるが、大体において紫外線灯４が発する紫
外線を下向きに照射する状態が保持される。本考案の安全スイッチ５の設置はこのような
使用状態でも導通状態を保持でき、紫外線殺菌灯が正常に使用される。
【００１９】
しかし、紫外線殺菌灯の傾斜角度が大きすぎる（図４に示すα角を超える）場合、紫外
線灯４が発する紫外線が上向きに照射される可能性が発生するため、本考案で使用する安
全スイッチ５はこの角度においては安全スイッチ５中のスチールボール等の導電性球体５
４が二つの電極の間から転がり出て回路遮断を形成して紫外線灯４が消灯するように設計
した。こうすることで紫外線灯４が発する紫外線が上向きに照射されないことを確保でき
、人体に被害を与える可能性を防止できる。
【００２０】
本考案の紫外線殺菌灯は携帯型設計であるため、使用者が携帯時に紫外線殺菌灯をバッ
グに入れて持ち歩く可能性があるが、バッグにはほかの物品があることが考えられ、携帯
過程でこれらの物品が紫外線殺菌灯のスイッチ３１にぶつかる可能性がある。紫外線殺菌
灯がバッグ内で誤って起動するのを防止するため、本考案の設計は、制御回路３の制御に
よってスイッチ３１がオンにされたときには指示灯３２が起動するのみで、指示灯３２が
起動している状態で再度スイッチ３１をオンにして初めて紫外線灯４を起動できるように
し、紫外線殺菌灯の携帯時に不注意の接触による紫外線殺菌灯起動の防止を達成した。
【図面の簡単な説明】
【００２１】
【図１】本考案の立体概観図である。
【図２】本考案の断面構造略図である。
【図３】本考案の実施例において選択した安全スイッチ構造略図である。
【図４】本考案をある角度傾斜させた略図である。
【符号の説明】
【００２２】
１     ハウジング
１１   開口部
１２   グリップ
２     電源部
３     制御回路
３１   スイッチ
３２   指示灯
４     紫外線灯
５     安全スイッチ
５１   ケース
５２   電極
５３   電極
５４   スチールボール等の導電性球体
【図１】
0003129855.tif 000003
【図２】
0003129855.tif 000004
【図３】
0003129855.tif 000005
【図４】
0003129855.tif 000006